(57)【特許請求の範囲】
【請求項１】
有効表示領域を含む対面部とその対面部の左右端部に設けた非対面部とを有する第１のパネル基板と、この第１のパネル基板の対面部に対向配置されかつ有効表示領域を含む対面部とその対面部の上下端部に設けた非対面部とを有する第２のパネル基板とを備え、
前記第１のパネル基板の非対面部と前記第２のパネル基板の非対面部には、それぞれ、複数の電極端子で構成されたブロックが複数並んで配置されて電極端子領域が形成され、前記第１のパネル基板の非対面部と前記第２のパネル基板の非対面部のそれぞれにおいて、前記ブロックが並んだ方向に沿って前記電極端子領域の最も端のブロックに隣接し且つ前記電極端子領域の外側の領域を外側領域とするとき、
前記第１のパネル基板の非対面部の端部および前記第２のパネル基板の非対面部の端部であり且つ前記外側領域に、前記第１のパネル基板の対面部と前記第２のパネル基板の対面部との位置合わせを行うアライメントマークを設けたことを特徴とするプラズマディスプレイパネル。
【請求項２】
前記第１のパネル基板と前記第２のパネル基板とのいずれか一方のアライメントマークは、電極群を配置した側の面に設け、他方のパネル基板のアライメントマークは、電極群を配置した側の面とは反対側の面に設けたことを特徴とする請求項１記載のプラズマディスプレイパネル。
【請求項３】
有効表示領域を含む対面部とその対面部の左右端部に設けた非対面部とを有する第１のパネル基板と、この第１のパネル基板の対面部に対向配置されかつ有効表示領域を含む対面部とその対面部の上下端部に設けた非対面部とを有する第２のパネル基板とを備え、
前記第１のパネル基板の非対面部と前記第２のパネル基板の非対面部には、それぞれ、複数の電極端子で構成されたブロックが複数並んで配置されて電極端子領域が形成され、前記第１のパネル基板の非対面部と前記第２のパネル基板の非対面部のそれぞれにおいて、前記ブロックが並んだ方向に沿って前記電極端子領域の最も端のブロックに隣接し且つ前記電極端子領域の外側の領域を外側領域とするとき、
前記第１のパネル基板の非対面部の端部および前記第２のパネル基板の非対面部の端部であり且つ前記外側領域に、前記第１のパネル基板の対面部と前記第２のパネル基板の対面部との位置合わせを行うアライメントマークを設け、
前記第１のパネル基板に設けたアライメントマークと前記第２のパネル基板に設けたアライメントマークとを一定の間隔を隔てて所定の位置関係となるように、前記第１のパネル基板と前記第２のパネル基板とを対向配置した後、前記対面部の外周部を封着することを特徴とするプラズマディスプレイパネルの製造方法。
【発明の詳細な説明】
【技術分野】
【０００１】
本発明は、プラズマディスプレイパネルおよびその製造方法に関し、特に、プラズマディスプレイパネルを構成するパネル基板に、位置合わせのためのアライメントマークを設けたプラズマディスプレイパネルおよびその製造方法に関する。
【背景技術】
【０００２】
プラズマディスプレイパネルは、前面パネル基板と背面パネル基板との一対のパネル基板を、両基板間に放電空間が形成されるように対向配置し、放電空間に希ガスを封入し、周辺部を封着した構成である。前面パネル基板上には走査電極と維持電極とからなる表示電極が複数形成され、背面パネル基板上には表示電極と直交する方向にアドレス電極が複数形成されており、表示電極とアドレス電極との立体交差部には単位発光領域である放電セルが形成される。このように構成されたプラズマディスプレイパネル（以下、適宜、「ＰＤＰ」と呼ぶ）の表示電極とアドレス電極とに所定の電圧を印加して各放電セルで選択的に放電を発生させることで、各放電セルに形成された蛍光体層がこの放電によって発光し、これによってＰＤＰから所望の画像が表示される。
【０００３】
図４は、このような構成を有した従来のＰＤＰを前面パネル基板側から見た平面図である。図４に示すように、ＰＤＰ９０は、前面パネル基板９３と背面パネル基板９４とを一対にして対向配置した構成である。前面パネル基板９３は、基板の面上において、上述したような電極群を有した有効表示領域９０３を含む対面部と前面パネル基板９３の左右端部に設けた電極端子領域９３４を含む非対面部とで構成される。また、背面パネル基板９４は、基板の面上において、上述したような電極群を有した有効表示領域９０３を含む対面部と背面パネル基板９４の上下端部に設けた電極端子領域９４４を含む非対面部とで構成される。
【０００４】
電極端子領域９３４および電極端子領域９４４は、ＰＤＰ９０の各電極に所定の電圧を印加するための、各電極に電気的に接続された電極引出線を引き出した電極端子をそれぞれ配置した基板上の領域である。図４に示すように、ＰＤＰ９０の周辺端部にそれぞれ上下左右方向へ突出するように設けられた非対面部には、所定の本数を１つのブロックとして電極引出線が引き出され、各ブロックは、このように各電極を電気的に引き出した複数本の電極端子で構成され、このような複数のブロックにより電極端子領域９３４および電極端子領域９４４が形成される。これら電極端子は、プラズマディスプレイ装置において、例えばフレキシブル配線板などにより各電極の駆動回路と接続される。
【０００５】
また、前面パネル基板９３の対面部の四隅には、位置合わせ用としての、例えば特定形状の開口部であるアライメントマーク９９が設けられている。さらに、従来のＰＤＰ９０には、背面パネル基板９４の対面部の四隅にも位置合わせ用として、アライメントマーク９９に対応した位置、かつ対応した形状のアライメントマークが設けられている（例えば、特許文献１参照）。
【０００６】
このようなＰＤＰ９０の製造において、まず、前面パネル基板９３と背面パネル基板９４とを、前面パネル基板９３の有効表示領域を含む対面部と背面パネル基板９４の有効表示領域を含む対面部とが所定の間隔を隔てて重なるように配置する。このとき、有効表示領域９０３として、前面パネル基板９３の電極などと背面パネル基板９４の電極などとの相対位置がずれていると、正常な放電が行われないこととなる。このため、上述した両基板の対面部内に設けたアライメントマークを利用して、前面パネル基板９３の対面部と背面パネル基板９４の対面部とが正しい位置関係で対面するよう配置し、正しく配置された有効表示領域９０３を含む所定領域の外周部を封着する。このようにして、封着された内部において、表示のための有効表示領域９０３に対応した放電空間を含む放電ガス空間９００が形成される。
【特許文献１】特開２００２−３６７５２３号公報
【発明の開示】
【発明が解決しようとする課題】
【０００７】
しかしながら、ＰＤＰにおいて、画像を表示する有効表示領域の拡大を図り、これによって例えばプラズマディスプレイ装置のいわゆる狭額縁化を図ろうとするときなど、従来のＰＤＰでは、両パネル基板の対面部においてアライメントマークを設ける領域が必要であり、対面部における有効表示領域の拡大を図るには限界があった。
【０００８】
本発明は、上記課題を解決するためになされたもので、ＰＤＰの平面面積に対し有効表示領域の占有面積の拡大を図り、それによってプラズマディスプレイ装置の狭額縁化や小型化などを可能としたプラズマディスプレイパネルおよびその製造方法を提供することを目的とする。
【課題を解決するための手段】
【０００９】
上述したような課題を解決するために、本発明のプラズマディスプレイパネルは、有効表示領域を含む対面部とその対面部の左右端部に設けた非対面部とを有する第１のパネル基板と、この第１のパネル基板の対面部に対向配置されかつ有効表示領域を含む対面部とその対面部の上下端部に設けた非対面部とを有する第２のパネル基板とを備え、第１のパネル基板の非対面部と第２のパネル基板の非対面部には、それぞれ、複数の電極端子で構成されたブロックが複数並んで配置されて電極端子領域が形成され、第１のパネル基板の非対面部と第２のパネル基板の非対面部のそれぞれにおいて、ブロックが並んだ方向に沿って電極端子領域の最も端のブロックに隣接し且つ電極端子領域の外側の領域を外側領域とするとき、第１のパネル基板の非対面部の端部および第２のパネル基板の非対面部の端部であり且つ外側領域に、第１のパネル基板の対面部と第２のパネル基板の対面部との位置合わせを行うアライメントマークを設けた構成である。
【００１０】
また、本発明のプラズマディスプレイパネルは、第１のパネル基板と第２のパネル基板とのいずれか一方のアライメントマークを、電極群を配置した側の面に設け、他方のパネル基板のアライメントマークを、電極群を配置した側の面とは反対側の面に設けた構成である。
【００１１】
また、本発明のプラズマディスプレイパネルの製造方法は、有効表示領域を含む対面部とその対面部の左右端部に設けた非対面部とを有する第１のパネル基板と、この第１のパネル基板の対面部に対向配置されかつ有効表示領域を含む対面部とその対面部の上下端部に設けた非対面部とを有する第２のパネル基板とを備え、第１のパネル基板の非対面部と第２のパネル基板の非対面部には、それぞれ、複数の電極端子で構成されたブロックが複数並んで配置されて電極端子領域が形成され、第１のパネル基板の非対面部と第２のパネル基板の非対面部のそれぞれにおいて、ブロックが並んだ方向に沿って電極端子領域の最も端のブロックに隣接し且つ電極端子領域の外側の領域を外側領域とするとき、第１のパネル基板の非対面部の端部および第２のパネル基板の非対面部の端部であり且つ外側領域に、第１のパネル基板の対面部と第２のパネル基板の対面部との位置合わせを行うアライメントマークを設け、第１のパネル基板に設けたアライメントマークと第２のパネル基板に設けたアライメントマークとを一定の間隔を隔てて所定の位置関係となるように、第１のパネル基板と第２のパネル基板とを対向配置した後、対面部の外周部を封着する。
【発明の効果】
【００１２】
本発明のプラズマディスプレイパネルによれば、第１のパネル基板と第２のパネル基板とを正しく対向配置するためのアライメントマークを、第１のパネル基板の左右端部における非対面部の端部と、第２のパネル基板の上下端部における非対面部の端部とに設けた構成である。このため、プラズマディスプレイパネルの対面部にアライメントマークを設けた構成ではないので、対面部の周辺部近くまで有効表示領域とすることが可能となり、所定のサイズのプラズマディスプレイパネルにおいて、有効表示領域の領域拡大を図ったプラズマディスプレイパネルおよびその製造方法を提供することが可能となる。
【発明を実施するための最良の形態】
【００１３】
以下、本発明の実施の形態について図面を参照しながら詳細に説明する。
【００１４】
（実施の形態）
図１は、本発明の実施の形態のプラズマディスプレイパネル（ＰＤＰ）の構造を示す図である。図１に示すように、本実施の形態のＰＤＰ１０は、対向して配置された前面パネル基板３０と背面パネル基板４０とを有している。なお、本実施の形態では、本発明の第１のパネル基板を前面パネル基板３０とし、第２のパネル基板を背面パネル基板４０として以下説明する。
【００１５】
前面パネル基板３０では、前面ガラス板１１上に、走査電極１２と維持電極１３とが互いに平行に対をなして表示電極１２３が形成され、このような表示電極１２３がさらに平行して複数対形成されている。そして、これらの走査電極１２と維持電極１３とを覆うように誘電体層１４が形成され、この誘電体層１４の表面を覆うように保護層１５が形成されている。
【００１６】
一方、背面パネル基板４０では、背面ガラス板１６上にアドレス電極１８が互いに平行に複数形成され、このアドレス電極１８を覆うように誘電体層１７が形成されている。そして、この誘電体層１７上には、アドレス電極１８に平行な隔壁１９が複数形成され、誘電体層１７の表面と隔壁１９の側面とに蛍光体層２０が形成されている。さらに、前面パネル基板３０と背面パネル基板４０とに挟まれた放電空間１００には、放電ガスが封入されている。
【００１７】
また、放電空間１００には、隔壁１９によって複数の区画に仕切ることにより、走査電極１２および維持電極１３とアドレス電極１８との交差部に放電セルが設けられ、その各放電セルには、赤色、緑色および青色となるように蛍光体層２０が一色ずつ順次配置されている。そして、赤色、緑色および青色の蛍光体層２０が隣接して配置された３つの放電セルにより１つの画素を構成し、カラー表示を行う。
【００１８】
このような構成のＰＤＰ１０において所定の表示を行うため、まず、アドレス電極１８と走査電極１２との間に書き込みパルスを印加することにより、アドレス電極１８と走査電極１２との間でアドレス放電を行い、放電セルを選択する。さらに、放電セルを選択した後、走査電極１２と維持電極１３との間に、交互に反転する周期的な維持パルスを印加することにより、走査電極１２と維持電極１３との間で維持放電を行う。このような動作を行うことで、所望の画像などがＰＤＰ１０に表示される。
【００１９】
図２は、本発明の実施の形態のＰＤＰ１０における両基板の全体構成を示す図である。すなわち、図２（ａ）は、前面ガラス板１１上に表示電極１２３を配置した側から見た前面パネル基板３０の平面図であり、図２（ｂ）は、背面ガラス板１６上にアドレス電極１８や隔壁１９を配置した側から見た背面パネル基板４０の平面図である。
【００２０】
まず、図２（ａ）に示すように、前面パネル基板３０は、基板の面上において、表示電極１２３である電極群を有した有効表示領域３３を含む対面部３１と前面パネル基板３０の左右端部に設けた電極端子領域３４を含む非対面部３２とで構成される。なお、対面部３１は、ＰＤＰ１０を構成したとき、背面パネル基板４０と対面する領域であり、非対面部３２は、背面パネル基板４０と対面しない領域である。また、電極端子領域３４は、前面パネル基板３０の表示電極１２３に所定の電圧を印加するため、各電極に電気的に接続された電極引出線を引き出した電極端子をそれぞれ配置した基板上の領域である。図２（ａ）に示すように、前面パネル基板３０の左右端部に設けられた非対面部３２には、所定の本数を１つのブロックとして電極引出線が引き出され、各ブロックは、このように各電極を電気的に引き出した複数本の電極端子で構成され、このような複数のブロックにより電極端子領域３４が形成される。
【００２１】
さらに、前面パネル基板３０の左右端部に設けたそれぞれの非対面部３２の上下端部には、特定形状のアライメントマーク３９が形成されている。なお、アライメントマーク３９は、次に説明するアライメントマーク４９とともに、位置合わせのために設けたマークであり、前面パネル基板３０と背面パネル基板４０とを正しく対向配置させるために利用される。また、本実施の形態では、アライメントマーク３９は、前面パネル基板３０の非対面部３２において、表示電極１２３を配置した側の裏面に形成された一例を挙げて説明する。このような一例以外にも、例えば、透明あるいは半透明の前面パネル基板３０の非対面部３２において、表示電極１２３を配置した側にアライメントマーク３９を設けてもよく、また、透明あるいは半透明の背面パネル基板４０の非対面部４２において、アドレス電極１８を配置した側あるいはその裏面に次に説明するアライメントマーク４９を設けた構成であってもよい。すなわち、前面パネル基板３０と背面パネル基板４０とを対向配置したとき、アライメントマーク３９とアライメントマーク４９とが一方向から観察できるような構成であればよい。
【００２２】
また、図２（ｂ）に示すように、背面パネル基板４０は、基板の面上において、アドレス電極１８である電極群を有した有効表示領域４３を含む対面部４１と背面パネル基板４０の上下端部に設けた電極端子領域４４を含む非対面部４２とで構成される。なお、対面部４１は、ＰＤＰ１０を構成したとき、前面パネル基板３０と対面する領域であり、非対面部４２は、前面パネル基板３０と対面しない領域である。また、電極端子領域４４は、背面パネル基板４０のアドレス電極１８に所定の電圧を印加するための、各電極に電気的に接続された電極引出線を引き出した電極端子をそれぞれ配置した基板上の領域である。図２（ｂ）に示すように、背面パネル基板４０の上下端部に設けられた非対面部４２にも、所定の本数を１つのブロックとして電極引出線が引き出され、各ブロックは、このように各電極を電気的に引き出した複数本の電極端子で構成され、このような複数のブロックにより電極端子領域４４が形成される。
【００２３】
さらに、背面パネル基板４０の上下端部に設けたそれぞれの非対面部４２の左右端部には、位置合わせのための特定形状のアライメントマーク４９が形成されている。なお、本実施の形態では、アライメントマーク４９は、背面パネル基板４０の非対面部４２において、表示電極１２３を配置した側に形成された一例を挙げて説明する。
【００２４】
図３は、以上のように構成された前面パネル基板３０と背面パネル基板４０とを対向配置して形成した本発明の実施の形態のＰＤＰの平面図である。図３では、前面パネル基板３０側から見た平面図を示している。
【００２５】
図３に示すように、ＰＤＰ１０は、前面パネル基板３０の表示電極１２３を配置した面側と背面パネル基板４０のアドレス電極１８を配置した面側とが対向し、前面パネル基板３０の対面部３１と背面パネル基板４０の対面部４１とが、前面から見ると重なるように配置されるとともに、重なった対面部から非対面部がそれぞれ上下左右方向へ突出するように対向配置された構造である。さらに、対面部３１と対面部４１とが重なった領域において、両対面部は、放電空間を形成するための所定の間隔を隔てて配置されており、両対面部の周辺部が封着されている。このように封着された内部には、放電ガスが封入されている。このように両対面部の周辺部が封着された内部には、図３に示すように、放電ガス空間１０１が形成される。さらに、放電ガス空間１０１において、表示電極１２３とアドレス電極１８とが対面した領域には放電空間１００が形成され、この放電空間１００に対応した面が、画像などを表示するための有効表示領域１０３となる。
【００２６】
また、上述したように、前面パネル基板３０の非対面部３２に設けたアライメントマーク３９と背面パネル基板４０の非対面部４２に設けたアライメントマーク４９とは、ＰＤＰ１０の四隅において、一定の間隔を隔てて所定の位置関係となるように配置されている。本実施の形態のＰＤＰは、位置合わせのためのアライメントマーク３９とアライメントマーク４９とが、ＰＤＰ１０の四隅において、図３に示すように配置されていることを特徴とする。
【００２７】
以下、図３を参照しながら、以上のように構成された本実施の形態のＰＤＰの製造方法について説明する。
【００２８】
まず、図３に示すようなＰＤＰ１０を製造するため、パネル重ね合わせの工程において、位置や高さなどの制御が可能な設定台上に前面パネル基板３０と背面パネル基板４０とが対向して配置される。このとき、前面パネル基板３０と背面パネル基板４０とを対向配置した四隅を観察するように、例えば、モニタカメラがそれぞれ設定されている。このモニタカメラからの撮像信号は、撮像画像としてパネル基板位置を調整するためのパネル基板位置調整装置に供給される。
【００２９】
パネル基板位置調整装置は、前面パネル基板３０と背面パネル基板４０とが正しい位置関係となるように、本パネル重ね合わせの工程において利用する装置である。パネル基板位置調整装置は、モニタカメラからの撮像画像に含まれるアライメントマーク３９とアライメントマーク４９とのアライメントマーク画像を利用して、前面パネル基板３０と背面パネル基板４０との位置関係を設定する。すなわち、パネル基板位置調整装置は、あらかじめアライメントマーク３９とアライメントマーク４９とが所定の位置関係となるための基準位置データを、例えば画像上の座標データなどとして記憶しており、モニタカメラからのアライメントマーク画像が基準位置データを満足するような画像となるように、設定台上の両パネル基板の位置や高さなどを制御する。
【００３０】
前面パネル基板３０と背面パネル基板４０とを対向配置した四隅において、パネル基板位置調整装置が取り込んだアライメントマーク画像におけるアライメントマーク３９とアライメントマーク４９とが所定の位置関係になると、パネル基板位置調整装置は、前面パネル基板３０と背面パネル基板４０とが正しく対向して配置されたと判断する。
【００３１】
このように、アライメントマーク３９とアライメントマーク４９とを利用して両パネル基板の位置関係を正しい位置関係となるように設定した後、封着の工程において、前面パネル基板３０の対面部３１と背面パネル基板４０の対面部４１との有効表示領域１０３を含む領域の外周部を封着する。
【００３２】
なお、本実施の形態では、前面パネル基板３０の左右端部に設けた非対面部３２および背面パネル基板４０の上下端部に設けた非対面部４２のそれぞれの非対面部に、それぞれの電極端子領域３４と電極端子領域４４とを設けた一例を挙げて説明したが、電極端子領域はＰＤＰの上下左右の非対面部それぞれに必ずしも設ける必要はなく、ＰＤＰの上下左右に配置した非対面部のいずれかには電極端子領域を設けないような構成であってもよい。
【００３３】
以上説明したように、本実施の形態のプラズマディスプレイパネルでは、前面パネル基板と背面パネル基板とを正しく対向配置するためのアライメントマークを、前面パネル基板の左右端部における非対面部の上下などの端部と、背面パネル基板の上下端部における非対面部の左右などの端部とに設けた構成であり、本実施の形態のプラズマディスプレイパネルは、このような非対面部の各端部に設けたアライメントマークを利用して前面パネル基板と背面パネル基板とが正しく対向配置され封着される。このため、プラズマディスプレイパネルの対面部にアライメントマークを設けた構成ではないので、対面部の周辺部近くまで有効表示領域とすることが可能となり、パネルの狭額縁化が可能となる。よって、本発明のプラズマディスプレイパネルおよびその製造方法によれば、プラズマディスプレイパネルの平面面積に対し有効表示領域の占有面積の拡大を図ったプラズマディスプレイパネルおよびその製造方法を提供することが可能となる。
【産業上の利用可能性】
【００３４】
本発明のプラズマディスプレイパネルは、有効表示領域の領域拡大を図ることができるので、プラズマディスプレイパネルなどのパネルを使用した表示装置などに有用である。
【図面の簡単な説明】
【００３５】
【図１】本発明の実施の形態のプラズマディスプレイパネル（ＰＤＰ）の構造を示す図
【図２】（ａ）は、前面ガラス板上に表示電極を配置した側から見た前面パネル基板の平面図（ｂ）は、背面ガラス板にアドレス電極や隔壁を配置した側から見た背面パネル基板の平面図
【図３】本発明の実施の形態の前面パネル基板と背面パネル基板とを対向配置したプラズマディスプレイパネル（ＰＤＰ）の平面図
【図４】従来のプラズマディスプレイパネル（ＰＤＰ）の平面図
【符号の説明】
【００３６】
１０，９０    プラズマディスプレイパネル（ＰＤＰ）
１１    前面ガラス板
１２    走査電極
１３    維持電極
１４，１７    誘電体層
１５    保護層
１６    背面ガラス板
１８    アドレス電極
１９    隔壁
２０    蛍光体層
３０，９３    前面パネル基板
３１，４１    対面部
３２，４２    非対面部
３３，４３，１０３，９０３    有効表示領域
３４，４４，９３４，９４４    電極端子領域
３９，４９，９９    アライメントマーク
４０，９４    背面パネル基板
１００    放電空間
１０１，９００    放電ガス空間
１２３    表示電極
【図１】
0004706448.tif 000002
【図２】
0004706448.tif 000003
【図３】
0004706448.tif 000004
【図４】
0004706448.tif 000005